【手続補正書】
【提出日】平成26年11月27日(2014.11.27)
【手続補正１】
【補正対象書類名】明細書
【補正対象項目名】００１０
【補正方法】変更
【補正の内容】
【００１０】
本技術の一側面は、第１の通信方式により、他の装置から供給される、少なくともコンテンツデータの識別情報を含む、前記コンテンツデータの管理に利用される管理データを受信する第１の通信部と、前記第１の通信部により受信された前記管理データに基づいて、コンテンツデータのリストを含む第１の表示を行い、前記コンテンツデータのリストにおいて、選択可能なコンテンツデータの情報と選択不可能なコンテンツデータの情報とを互いに異なる表示とする表示部と、前記表示部により行われた前記第１の表示に対する選択操作による前記コンテンツデータの選択を受け付ける選択受付部と、前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部とを備える情報処理装置である。
【手続補正２】
【補正対象書類名】明細書
【補正対象項目名】００１２
【補正方法】変更
【補正の内容】
【００１２】
前記記憶部は、セッション接続情報をさらに記憶し、前記第２の通信部は、前記セッション接続情報を用いて前記他の装置とのセッションを確立することができる。
前記第２の通信部により受信される前記コンテンツデータを再生する再生部をさらに備えることができる。
【手続補正３】
【補正対象書類名】明細書
【補正対象項目名】００１４
【補正方法】変更
【補正の内容】
【００１４】
前記コンテンツデータの情報には、前記コンテンツデータに関連する画像が含まれるようにすることができる。
【手続補正４】
【補正対象書類名】明細書
【補正対象項目名】００１５
【補正方法】変更
【補正の内容】
【００１５】
前記コンテンツデータの情報には、前記コンテンツデータのタイトルが含まれるようにすることができる。
【手続補正５】
【補正対象書類名】明細書
【補正対象項目名】００１６
【補正方法】変更
【補正の内容】
【００１６】
前記表示部は、前記コンテンツデータのリストにおいて、前記選択不可能なコンテンツデータの情報を灰色表示にすることができる。
前記表示部は、前記コンテンツデータのリストにおいて、前記選択不可能なコンテンツデータの情報を、前記選択可能なコンテンツデータの情報に比べて濃度を薄く表示することができる。
前記表示部は、前記コンテンツデータのリストにおいて、前記選択不可能なコンテンツデータの情報を、前記選択可能なコンテンツデータの情報に比べて小さく表示することができる。
前記表示部は、前記コンテンツデータのリストにおいて、前記選択不可能なコンテンツデータの情報を選択不可能な状態で表示することができる。
前記表示部は、前記コンテンツデータのリストにおいて、前記選択不可能なコンテンツデータが選択された場合、選択不可能なことを示すメッセージや絵柄を表示することができる。
【手続補正６】
【補正対象書類名】明細書
【補正対象項目名】００１７
【補正方法】変更
【補正の内容】
【００１７】
本技術の一側面はまた、情報処理装置の情報処理方法であって、第１の通信部が、第１の通信方式により、他の装置から供給される、少なくともコンテンツデータの識別情報を含む、前記コンテンツデータの管理に利用される管理データを受信し、表示部が、受信された前記管理データに基づいて、コンテンツデータのリストを含む第１の表示を行い、前記コンテンツデータのリストにおいて、選択可能なコンテンツデータの情報と選択不可能なコンテンツデータの情報とを互いに異なる表示とし、選択受付部が、前記表示部により行われた前記第１の表示に対する選択操作による前記コンテンツデータの選択を受け付け、第２の通信部が、前記第１の通信方式より通信可能範囲が広い第２の通信方式により、前記選択操作による選択が受け付けられた前記コンテンツデータの要求を送信し、前記要求に対応する前記コンテンツデータを受信する情報処理方法である。
【手続補正７】
【補正対象書類名】明細書
【補正対象項目名】００１８
【補正方法】変更
【補正の内容】
【００１８】
本技術の一側面は、さらに、コンピュータを、第１の通信方式により、他の装置から供給される、少なくともコンテンツデータの識別情報を含む、前記コンテンツデータの管理に利用される管理データを受信する第１の通信部、前記第１の通信部により受信された前記管理データに基づいて、コンテンツデータのリストを含む第１の表示を行い、前記コンテンツデータのリストにおいて、選択可能なコンテンツデータの情報と選択不可能なコンテンツデータの情報とを互いに異なる表示とする表示部、前記表示部により行われた前記第１の表示に対する選択操作による前記コンテンツデータの選択を受け付ける選択受付部、前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部として機能させるためのプログラムである。
本技術の他の側面は、第１の通信方式により、他の装置から供給される、少なくともコンテンツデータの識別情報を含む、前記コンテンツデータの管理に利用される管理データを受信する第１の通信部と、前記第１の通信部により受信された前記管理データに基づいて、コンテンツデータのリストを含む第１の表示を行い、前記コンテンツデータのリストにおいて、選択可能なコンテンツデータの情報を表示し、選択不可能なコンテンツデータの情報を非表示とする表示部と、前記表示部により行われた前記第１の表示に対する選択操作による前記コンテンツデータの選択を受け付ける選択受付部と、前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部とを備える情報処理装置である。
前記第１の通信部により受信された前記管理データを記憶する記憶部をさらに備え、前記表示部は、前記記憶部に記憶されている前記管理データに基づく第１の表示を行うことができる。
前記記憶部は、セッション接続情報をさらに記憶し、前記第２の通信部は、前記セッション接続情報を用いて前記他の装置とのセッションを確立することができる。
前記第２の通信部により受信される前記コンテンツデータを再生する再生部をさらに備えることができる。
前記再生部は、前記コンテンツデータを逐次的に再生することができる。
前記コンテンツデータの情報には、前記コンテンツデータに関連する画像が含まれるようにすることができる。
前記コンテンツデータの情報には、前記コンテンツデータのタイトルが含まれるようにすることができる。
本技術の他の側面は、また、情報処理装置の情報処理方法であって、第１の通信部が、第１の通信方式により、他の装置から供給される、少なくともコンテンツデータの識別情報を含む、前記コンテンツデータの管理に利用される管理データを受信し、表示部が、受信された前記管理データに基づいて、コンテンツデータのリストを含む第１の表示を行い、前記コンテンツデータのリストにおいて、選択可能なコンテンツデータの情報を表示し、選択不可能なコンテンツデータの情報を非表示とし、選択受付部が、前記表示部により行われた前記第１の表示に対する選択操作による前記コンテンツデータの選択を受け付け、第２の通信部が、前記第１の通信方式より通信可能範囲が広い第２の通信方式により、前記選択操作による選択が受け付けられた前記コンテンツデータの要求を送信し、前記要求に対応する前記コンテンツデータを受信する情報処理方法である。
本技術の他の側面は、さらに、コンピュータを、第１の通信方式により、他の装置から供給される、少なくともコンテンツデータの識別情報を含む、前記コンテンツデータの管理に利用される管理データを受信する第１の通信部、前記第１の通信部により受信された前記管理データに基づいて、コンテンツデータのリストを含む第１の表示を行い、前記コンテンツデータのリストにおいて、選択可能なコンテンツデータの情報を表示し、選択不可能なコンテンツデータの情報を非表示とする表示部、前記表示部により行われた前記第１の表示に対する選択操作による前記コンテンツデータの選択を受け付ける選択受付部、前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部として機能させるためのプログラムである。
【手続補正８】
【補正対象書類名】明細書
【補正対象項目名】００１９
【補正方法】変更
【補正の内容】
【００１９】
本技術の一側面においては、第１の通信方式により、他の装置から供給される、少なくともコンテンツデータの識別情報を含む、コンテンツデータの管理に利用される管理データが受信され、受信された管理データに基づいて、コンテンツデータのリストを含む第１の表示が行われ、その第１の表示のコンテンツデータのリストにおいては、選択可能なコンテンツデータの情報と選択不可能なコンテンツデータの情報とが互いに異なる表示とされ、その第１の表示に対する選択操作によるコンテンツデータの選択が受け付けられ、第１の通信方式より通信可能範囲が広い第２の通信方式により、選択操作による選択が受け付けられたコンテンツデータの要求が送信され、要求に対応するコンテンツデータが受信される。
本技術の他の側面においては、第１の通信方式により、他の装置から供給される、少なくともコンテンツデータの識別情報を含む、そのコンテンツデータの管理に利用される管理データが受信され、受信された管理データに基づいて、コンテンツデータのリストを含む第１の表示が行われ、その第１の表示のコンテンツデータのリストにおいては、選択可能なコンテンツデータの情報が表示され、選択不可能なコンテンツデータの情報が非表示とされ、その第１の表示に対する選択操作によるコンテンツデータの選択が受け付けられ、第１の通信方式より通信可能範囲が広い第２の通信方式により、その選択操作による選択が受け付けられたコンテンツデータの要求が送信され、その要求に対応するコンテンツデータが受信される。
【手続補正９】
【補正対象書類名】特許請求の範囲
【補正対象項目名】全文
【補正方法】変更
【補正の内容】
【特許請求の範囲】
【請求項１】
第１の通信方式により、他の装置から供給される、少なくともコンテンツデータの識別情報を含む、前記コンテンツデータの管理に利用される管理データを受信する第１の通信部と、
前記第１の通信部により受信された前記管理データに基づいて、コンテンツデータのリストを含む第１の表示を行い、前記コンテンツデータのリストにおいて、選択可能なコンテンツデータの情報と選択不可能なコンテンツデータの情報とを互いに異なる表示とする表示部と、
前記表示部により行われた前記第１の表示に対する選択操作による前記コンテンツデータの選択を受け付ける選択受付部と、
前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部と
を備える情報処理装置。
【請求項２】
前記第１の通信部により受信された前記管理データを記憶する記憶部をさらに備え、
前記表示部は、前記記憶部に記憶されている前記管理データに基づく第１の表示を行う
請求項１に記載の情報処理装置。
【請求項３】
前記記憶部は、セッション接続情報をさらに記憶し、
前記第２の通信部は、前記セッション接続情報を用いて前記他の装置とのセッションを確立する
請求項２に記載の情報処理装置。
【請求項４】
前記第２の通信部により受信される前記コンテンツデータを再生する再生部をさらに備える
請求項１乃至請求項３のいずれかに記載の情報処理装置。
【請求項５】
前記再生部は、前記コンテンツデータを逐次的に再生する
請求項４に記載の情報処理装置。
【請求項６】
前記コンテンツデータの情報には、前記コンテンツデータに関連する画像が含まれる
請求項１乃至請求項５のいずれかに記載の情報処理装置。
【請求項７】
前記コンテンツデータの情報には、前記コンテンツデータのタイトルが含まれる
請求項１乃至請求項６のいずれかに記載の情報処理装置。
【請求項８】
前記表示部は、前記コンテンツデータのリストにおいて、前記選択不可能なコンテンツデータの情報を灰色表示にする
請求項１乃至請求項７のいずれかに記載の情報処理装置。
【請求項９】
前記表示部は、前記コンテンツデータのリストにおいて、前記選択不可能なコンテンツデータの情報を、前記選択可能なコンテンツデータの情報に比べて濃度を薄く表示する
請求項１乃至請求項８のいずれかに記載の情報処理装置。
【請求項１０】
前記表示部は、前記コンテンツデータのリストにおいて、前記選択不可能なコンテンツデータの情報を、前記選択可能なコンテンツデータの情報に比べて小さく表示する
請求項１乃至請求項９のいずれかに記載の情報処理装置。
【請求項１１】
前記表示部は、前記コンテンツデータのリストにおいて、前記選択不可能なコンテンツデータの情報を選択不可能な状態で表示する
請求項１乃至請求項１０のいずれかに記載の情報処理装置。
【請求項１２】
前記表示部は、前記コンテンツデータのリストにおいて、前記選択不可能なコンテンツデータが選択された場合、選択不可能なことを示すメッセージや絵柄を表示する
請求項１乃至請求項１０のいずれかに記載の情報処理装置。
【請求項１３】
情報処理装置の情報処理方法であって、
第１の通信部が、第１の通信方式により、他の装置から供給される、少なくともコンテンツデータの識別情報を含む、前記コンテンツデータの管理に利用される管理データを受信し、
表示部が、受信された前記管理データに基づいて、コンテンツデータのリストを含む第１の表示を行い、前記コンテンツデータのリストにおいて、選択可能なコンテンツデータの情報と選択不可能なコンテンツデータの情報とを互いに異なる表示とし、
選択受付部が、前記表示部により行われた前記第１の表示に対する選択操作による前記コンテンツデータの選択を受け付け、
第２の通信部が、前記第１の通信方式より通信可能範囲が広い第２の通信方式により、前記選択操作による選択が受け付けられた前記コンテンツデータの要求を送信し、前記要求に対応する前記コンテンツデータを受信する
情報処理方法。
【請求項１４】
コンピュータを、
第１の通信方式により、他の装置から供給される、少なくともコンテンツデータの識別情報を含む、前記コンテンツデータの管理に利用される管理データを受信する第１の通信部、
前記第１の通信部により受信された前記管理データに基づいて、コンテンツデータのリストを含む第１の表示を行い、前記コンテンツデータのリストにおいて、選択可能なコンテンツデータの情報と選択不可能なコンテンツデータの情報とを互いに異なる表示とする表示部、
前記表示部により行われた前記第１の表示に対する選択操作による前記コンテンツデータの選択を受け付ける選択受付部、
前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部
として機能させるためのプログラム。
【請求項１５】
第１の通信方式により、他の装置から供給される、少なくともコンテンツデータの識別情報を含む、前記コンテンツデータの管理に利用される管理データを受信する第１の通信部と、
前記第１の通信部により受信された前記管理データに基づいて、コンテンツデータのリストを含む第１の表示を行い、前記コンテンツデータのリストにおいて、選択可能なコンテンツデータの情報を表示し、選択不可能なコンテンツデータの情報を非表示とする表示部と、
前記表示部により行われた前記第１の表示に対する選択操作による前記コンテンツデータの選択を受け付ける選択受付部と、
前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部と
を備える情報処理装置。
【請求項１６】
前記第１の通信部により受信された前記管理データを記憶する記憶部をさらに備え、
前記表示部は、前記記憶部に記憶されている前記管理データに基づく第１の表示を行う
請求項１５に記載の情報処理装置。
【請求項１７】
前記記憶部は、セッション接続情報をさらに記憶し、
前記第２の通信部は、前記セッション接続情報を用いて前記他の装置とのセッションを確立する
請求項１６に記載の情報処理装置。
【請求項１８】
前記第２の通信部により受信される前記コンテンツデータを再生する再生部をさらに備える
請求項１５乃至請求項１７のいずれかに記載の情報処理装置。
【請求項１９】
前記再生部は、前記コンテンツデータを逐次的に再生する
請求項１８に記載の情報処理装置。
【請求項２０】
前記コンテンツデータの情報には、前記コンテンツデータに関連する画像が含まれる
請求項１５乃至請求項１９のいずれかに記載の情報処理装置。
【請求項２１】
前記コンテンツデータの情報には、前記コンテンツデータのタイトルが含まれる
請求項１５乃至請求項２０のいずれかに記載の情報処理装置。
【請求項２２】
情報処理装置の情報処理方法であって、
第１の通信部が、第１の通信方式により、他の装置から供給される、少なくともコンテンツデータの識別情報を含む、前記コンテンツデータの管理に利用される管理データを受信し、
表示部が、受信された前記管理データに基づいて、コンテンツデータのリストを含む第１の表示を行い、前記コンテンツデータのリストにおいて、選択可能なコンテンツデータの情報を表示し、選択不可能なコンテンツデータの情報を非表示とし、
選択受付部が、前記表示部により行われた前記第１の表示に対する選択操作による前記コンテンツデータの選択を受け付け、
第２の通信部が、前記第１の通信方式より通信可能範囲が広い第２の通信方式により、前記選択操作による選択が受け付けられた前記コンテンツデータの要求を送信し、前記要求に対応する前記コンテンツデータを受信する
情報処理方法。
【請求項２３】
コンピュータを、
第１の通信方式により、他の装置から供給される、少なくともコンテンツデータの識別情報を含む、前記コンテンツデータの管理に利用される管理データを受信する第１の通信部、
前記第１の通信部により受信された前記管理データに基づいて、コンテンツデータのリストを含む第１の表示を行い、前記コンテンツデータのリストにおいて、選択可能なコンテンツデータの情報を表示し、選択不可能なコンテンツデータの情報を非表示とする表示部、
前記表示部により行われた前記第１の表示に対する選択操作による前記コンテンツデータの選択を受け付ける選択受付部、
前記第１の通信方式より通信可能範囲が広い第２の通信方式により、前記選択受付部により前記選択操作による選択が受け付けられた前記コンテンツデータの要求を送信し、前記要求に対応する前記コンテンツデータを受信する第２の通信部
として機能させるためのプログラム。